(57)【特許請求の範囲】
【請求項１】
被写体に対して放射線を出射する放射線源と、前記放射線源から出射され前記被写体を透過した放射線を検出する検出装置とを備えた放射線検出システムにおいて、
前記検出装置で撮影に必要な放射線の入射総量を予め記憶しておく記憶手段と、
前記被写体の撮影に先だって前記放射線源から所要の放射線を出射したときに前記検出装置で検出される放射線の入射総量を検出して前記放射線源の出射総量に対する前記検出装置の入射総量の比を算出する算出手段と、
前記算出手段の算出結果と前記記憶手段に記憶されている撮影に必要な入射総量とに基づいて前記被写体の撮影の際に前記放射線源から該被写体に対して出射する放射線の出射総量を決定する決定手段と、
前記検出装置の出力を制御するスイッチと、を備え、
前記検出装置は、入射した前記放射線を電気信号に変換する変換手段と、前記電気信号を出力するスイッチ素子と、を含む画素が２次元アレー状に複数配列され、行方向の複数の画素のスイッチ素子に共通に接続された駆動配線が列方向に複数配列され、列方向の複数の画素のスイッチ素子に共通に接続された信号配線が行方向に複数配列された光電変換回路部と、複数の前記駆動配線に接続されたシフトレジスタと、を含み、
前記被写体の撮影に先だって前記放射線源から所要の放射線を出射したときに前記検出装置で検出される放射線の入射総量を検出するに際して、
前記シフトレジスタが、複数の前記駆動配線のうち任意の連続する複数の駆動配線を同時に選択し、複数の前記駆動配線のうち前記任意の連続する複数の駆動配線以外の複数の駆動配線を選択しないことにより、前記検出装置が前記被写体の所要の部位を透過した放射線に基づいて前記被写体の所要の部位に相当する前記検出装置の所要の領域を含む前記任意の連続する複数の駆動配線に接続されたスイッチ素子を含む画素の電気信号の平均出力である信号のみを複数の前記信号配線毎に出力し、
前記スイッチに与えられる制御信号により、前記スイッチが、前記平均出力である信号のうち、複数の前記信号配線のうち前記所要の領域に応じた所要の前記信号配線の平均出力である信号のみを出力することを特徴とする放射線検出システム。
【請求項２】
前記シフトレジスタは、前記駆動配線がＮ本ある場合、Ｎ個のＤフリップフロップとＮ個のＡＮＤ回路とを含み、１段目のＤフリップフロップの一方の入力端子に制御信号が入力され、所定段目のＤフリップフロップの出力が前記所定段目のＡＮＤ回路の一方の入力端子及び前記所定段目の次の段目のＤフリップフロップの一方の入力端子に入力され、前記Ｎ個のＤフリップフロップの他方の入力端子にクロック信号が共通に入力され、前記Ｎ個のＡＮＤ回路の他方の入力端子にはパルス信号が共通に入力され、所定段目のＡＮＤ回路の出力端子は所定行の駆動配線に接続されており、１からＩ個分の前記クロック信号を入力するとき、前記制御信号をＬｏ状態とし、次にＪ個分の前記クロック信号を入力するとき、前記制御信号をＨｉ状態とし、残りのＫ個分の前記クロック信号を入力するとき、前記制御信号をＬｏ状態とすることにより、前記シフトレジスタは、前記所要の複数の行に対応するＫ＋１からＫ＋Ｊ行目の複数の駆動配線を同時に選択することを特徴とし、ここで、Ｎ、Ｉ、Ｊ、及びＫは１より大きい整数であり、Ｎ＝Ｉ＋Ｊ＋Ｋである請求項１に記載の放射線検出システム。
【請求項３】
前記算出手段は、前記被写体の所要の部位に相当する前記検出装置の所要の領域で検出される信号に基づいて前記検出装置で検出される放射線の入射総量を検出して前記放射線源の出射総量に対する前記検出装置の入射総量の比を算出し、前記決定手段は、前記被写体の所要の部位を透過した放射線に基づいて前記被写体に対して出射する放射線の出射総量を決定することを特徴とする請求項１又は２に記載の放射線検出システム。
【請求項４】
前記算出手段は、前記被写体の第１の所要の部位に相当する前記検出装置の第１の所要の領域で検出される信号と、前記被写体の第１の所要の部位と異なる第２の所要の部位に相当する前記検出装置の第１の所要の領域と異なる第２の所要の領域で検出される信号と、に基づいて前記検出装置で検出される放射線の入射総量を検出して前記放射線源の出射総量に対する前記検出装置の入射総量の比を算出し、
前記被写体の撮影に先だって前記放射線源から所要の放射線を出射したときに前記検出装置で検出される放射線の入射総量を検出するに際して、
前記シフトレジスタは、複数の前記駆動配線のうち前記第１の所要の領域に応じた連続する複数の駆動配線を同時に選択し、複数の前記駆動配線のうち前記第１の所要の領域に応じた連続する複数の駆動配線以外の複数の駆動配線を選択しないことにより、前記検出装置が前記第１の所要の部位を透過した放射線に基づいて前記被写体の第１の所要の部位に相当する前記検出装置の第１の所要の領域を含む前記第１の所要の領域に応じた連続する複数の駆動配線に接続されたスイッチ素子を含む画素の平均出力である信号のみを複数の前記信号配線毎に出力し、複数の前記駆動配線のうち前記第２の所要の領域に応じた連続する複数の駆動配線を同時に選択し、複数の前記駆動配線のうち前記第２の所要の領域に応じた連続する複数の駆動配線以外の複数の駆動配線を選択しないことにより、前記検出装置が前記第２の所要の部位を透過した放射線に基づいて前記被写体の第２の所要の部位に相当する前記検出装置の第２の所要の領域を含む前記第２の所要の領域に応じた連続する複数の駆動配線に接続されたスイッチ素子を含む画素の平均出力である信号のみを複数の前記信号配線毎に出力することを特徴とする請求項１から３のいずれか１項に記載の放射線検出システム。
【請求項５】
前記検出装置は、入射した前記放射線を電気信号に変換する変換手段を備えることを特徴とする請求項１から４のいずれか１項に記載の放射線検出システム。
【請求項６】
前記変換手段は、入射した前記放射線を直接的に吸収し前記電気信号に変換することを特徴とする請求項５に記載の放射線検出システム。
【請求項７】
前記変換手段は、前記放射線を光に変換し、前記光を前記電気信号に変換することを特徴とする請求項５に記載の放射線検出システム。
【請求項８】
前記変換手段は、前記放射線を光に変換する蛍光体と、前記光を前記電気信号に変換する光電変換素子と、を備えることを特徴とする請求項７に記載の放射線検出システム。
【請求項９】
前記変換手段は、アモルファスシリコンの前記光電変換素子を備えることを特徴とする請求項８に記載の放射線検出システム。
【請求項１０】
前記検出装置は、前記変換手段によって変換された電気信号を読み出す読み出し手段を備えることを特徴とする請求項５から９のいずれか１項に記載の放射線検出システム。
【請求項１１】
前記検出装置は、前記記憶手段と、前記算出手段と、前記決定手段と、のうちの少なくとも１つを備えることを特徴とする請求項１から１０のいずれか１項に記載の放射線検出システム。
【発明の詳細な説明】
【０００１】
【発明の属する技術分野】
本発明は、放射線検出システムに関し、特に、病院内での診断に用いられる放射線検出システムや、工業用の非破壊検査装置としても用いられる放射線検出システムに関する。
【０００２】
なお、本明細書では、α線、β線、γ線、Ｘ線なども放射線の範ちゅうに含むものとして説明する。
【０００３】
【従来の技術】
従来、病院内で行われているＸ線撮影系は、患者にＸ線を照射させ、その透過Ｘ線像をフィルムに露光するフィルム方式が主流になっている。
【０００４】
図２４は、従来のフィルム方式のＸ線撮影系を示す図である。図２４において、１０１はＸ線を照射するＸ線源、１０２は被写体すなわち患者、１０３はＸ線を可視光に変換する蛍光体、１２０は蛍光体１０３面で変換された可視光の強度を感知し患者の像を形成するフイルム、１４０は患者を透過したＸ線量を検出するためのホトマルチプライヤやホトダイオードなどの露出センサ、１３０は露出センサ１４０の電源、１５０は露出センサ１４０の信号を検知して増幅するアンプ、２００は予め設定された基準電圧１９０とアンプ１５０の各出力の比較結果を出力するコンパレータ、１０５はコンパレータ２００の出力に応じてオン／オフが制御されるスイッチ、１０６はＸ線源１０１の電源である。
【０００５】
なお、蛍光体１０３はフィルム１２０でのＸ線画像の先鋭度を低下させないために、実質上フィルム１２０と密着した配置となっている。蛍光体１０３はフィルム１２０の前後に２枚配置させ、良質なＸ線画像を得るための工夫がなされている。
【０００６】
また、図２４に示す撮影系では、患者１０２の透過Ｘ線量が予め定められた量になると、コンパレータ２００からスイッチ１０５をオフするような信号が出力するようにされている。
【０００７】
図２５は、図２４のフィルム１２０と露出センサ１４０の位置関係の例を示した図である。図２５では、露出センサ１４０が３個所に用いた例で、人体の肺野部（２個所）と縦隔部（１箇所）に配置された様子を示している。撮影部位によって、どの露出センサ１４０を駆動させるか選択される。あるいは、撮影目的に応じ複数の露出センサ１４０が駆動されるとともに、各露出センサ１４０の出力結果に基づく演算結果によってＸ線源１０１からのＸ線の照射を制御する。透過Ｘ線量には個人差や撮影部位による差が生ずるが、露出センサ１４０が機能することにより、いつでも最適な露出量が得られる。
【０００８】
図２６は、従来のフィルム方式におけるＸ線撮影系の別の例を示す図である。図２６では、フィルム１２０と患者１０２との間に別途蛍光体１７０を配置させており、蛍光体１７０からの可視光を側面に配置した光センサ１４０で検知、演算し、その結果に基づいてＸ線源１０１からＸ線照射を行わせるようにしている。なお、図２６において図２４と同様の部分には同一符号を付している。
【０００９】
また、近年、ＣＣＤやアモルファスシリコン半導体薄膜を用いた２次元の固体撮像装置をフィルムの代わりに用いる新しい方式も提案されている。この方式のセンサは、一般に、フィルムに比べ広いダイナミックレンジを有するといわれているが、現時点で、露出センサの必要性は否めない。
【００１０】
【発明が解決しようとする課題】
しかし、従来の技術は、露出センサの具備により最適なＸ線露光量を得られる反面、Ｘ線撮像装置が大型化する問題点を有している。特に複数の露出センサを配置した場合、さらに大型、複雑化し、装置自身のコストもアップする問題点もある。
【００１１】
また、手や足などのように形が複雑な部位、特に赤ん坊の手、足、頭などの小さい被写体では、露出センサを完全に覆うことができないので、数十種類もある人体の部位を、たかだか、数点の露出センサで、全ての部位、全ての患者に対して毎回適正露出を得ることは極めて困難であり、露出量にばらつきが生ずるという問題点も有している。
【００１２】
さらに、病院内のＸ線撮影室において、Ｘ線発生装置やコンピュータは、固定的に設置する場合が多いのに対し、Ｘ線撮影装置は、たとえば交通事故で負傷した緊急の患者や体が不自由な身障者、あるいは子どもや年配の患者など、自由に体を動かせない場合など、患者の体位に撮像装置を合わせられるような軽量、コンパクトで持ち運びが可能な動かして使用する要求がある。
【００１３】
そこで、本発明は、放射線撮像装置の小型化及び放射線の露出量のバラツキをなくすことを課題とする。
【００１４】
【課題を解決するための手段】
本発明の放射線検出システムは、被写体に対して放射線を出射する放射線源と、前記放射線源から出射され前記被写体を透過した放射線を検出する検出装置とを備えた放射線検出システムにおいて、前記検出装置で撮影に必要な放射線の入射総量を予め記憶しておく記憶手段と、前記被写体の撮影に先だって前記放射線源から所要の放射線を出射したときに前記検出装置で検出される放射線の入射総量を検出して前記放射線源の出射総量に対する前記検出装置の入射総量の比を算出する算出手段と、前記算出手段の算出結果と前記記憶手段に記憶されている撮影に必要な入射総量とに基づいて前記被写体の撮影の際に前記放射線源から該被写体に対して出射する放射線の出射総量を決定する決定手段と、前記検出装置の出力を制御するスイッチと、を備え、前記検出装置は、入射した前記放射線を電気信号に変換する変換手段と、前記電気信号を出力するスイッチ素子と、を含む画素が２次元アレー状に複数配列され、行方向の複数の画素のスイッチ素子に共通に接続された駆動配線が列方向に複数配列され、列方向の複数の画素のスイッチ素子に共通に接続された信号配線が行方向に複数配列された光電変換回路部と、複数の前記駆動配線に接続されたシフトレジスタと、を含み、前記被写体の撮影に先だって前記放射線源から所要の放射線を出射したときに前記検出装置で検出される放射線の入射総量を検出するに際して、前記シフトレジスタが、複数の前記駆動配線のうち任意の連続する複数の駆動配線を同時に選択し、複数の前記駆動配線のうち前記任意の連続する複数の駆動配線以外の複数の駆動配線を選択しないことにより、前記検出装置が前記被写体の所要の部位を透過した放射線に基づいて前記被写体の所要の部位に相当する前記検出装置の所要の領域を含む前記任意の連続する複数の駆動配線に接続されたスイッチ素子を含む画素の電気信号の平均出力である信号のみを複数の前記信号配線毎に出力し、前記スイッチに与えられる制御信号により、前記スイッチが、前記平均出力である信号のうち、複数の前記信号配線のうち前記所要の領域に応じた所要の前記信号配線の平均出力である信号のみを出力することを特徴とする。
【００１５】
【発明の実施の形態】
以下、本発明の実施形態について図面を用いて説明する。
【００１６】
（実施形態１）
「構成の説明」
図１は、本発明の実施形態１のＸ線撮像装置の構成を示す概念図である。図１において、１０１はＸ線を照射するＸ線源、１０２は被写体すなわち患者、１０３はＸ線を可視光に変換するＴｂ（テルビウム）を付括したＧｄ2Ｏ2ＳやＴｌ（タリウム）を付括したＣｓＩ：Ｔｌ等の蛍光体、１０４はＸ線可視変換蛍光体１０３からの可視光を検出する固体撮像素子すなわち光電変換素子が２次元アレー状に配列された２次元の光センサ、１１０はＸＷＥ信号に従って光センサ１０４のデータの出力を制御するスイッチ、１０９はテーブルメモリなどを備え光センサ１０４からの出力信号に基づいて撮影時のＸ線の出射総量である照射時間及び照射光量を演算する演算部、１０７は光センサ１０４内の各光電変換素子を駆動するための駆動部、１０８は駆動部１０７及び演算部１０９の動作を制御する制御部、２３０はＸ線源１０１からＸ線を発生させるＸ線発生装置、１０５はパルス発生器２１０の出力に応じてオン／オフが制御されるスイッチである。
【００１７】
本実施形態では、患者１０２のＸ線情報を取得するために設けられている光センサ１０４の光電変換素子を、いわば露出センサとしても用いている。
【００１８】
また、Ｘ線発生装置２３０は、Ｘ線源１０１の電源１０６と、演算部１０９の演算結果に基づいてスイッチ１０６のオン／オフを制御する制御信号を生成するパルス発生器２１０と、演算部１０９の演算結果に基づいてＸ線源１０１の管球の管電流値を制御する信号を出力する管電流設定装置２２０とを備えている。
【００１９】
図２は、図１の光センサ１０４内に２次元状に配列されている光電変換素子の等価回路図である。なお、説明の簡単化のために図２には３×３の合計９画素だけを示しているが、実際は、装置の目的に応じて更に多数ビットで構成される。たとえば、医療用の胸部Ｘ線撮像装置の場合、有効領域で４０ｃｍ□以上、画素数としては画素ピッチ２００μｍで、２０００×２０００画素以上が求められている。
【００２０】
図２には、光電変換素子が２次元状に配列された光電変換回路部と、各光電変換素子を駆動するためのシフトレジスタ（ＳＲ１）と、シフトレジスタ（ＳＲ１）によって駆動された各光電変換素子の画像信号を読み出すための読み出し用回路部とを示している。
【００２１】
光電変換回路部は、図示しない絶縁基板上などに設けられており、可視光を受光し電気信号に変換する光電変換素子Ｓ１−１〜Ｓ３−３と、光電変換素子Ｓ１−１〜Ｓ３−３で光電変換された信号電荷をマトリクス信号配線Ｍ１〜Ｍ３側へ転送するためのスイッチ素子Ｔ１−１〜Ｔ３−３と、スイッチ素子Ｔ１−１〜Ｔ３−３であるトランジスタのゲートにシフトレジスタ（ＳＲ１）からの信号を供給するゲート駆動用配線Ｇ１〜Ｇ３と、マトリクス信号配線Ｍ１〜Ｍ３側へ転送された信号電荷を一時的に蓄積する容量素子Ｃ１〜Ｃ３とを備えている。
【００２２】
読み出し用回路部は、光電変換回路部の容量素子Ｃ１〜Ｃ３に蓄積されている信号電荷を読み出すための読み出し用スイッチＵ１〜Ｕ３と、読み出し用スイッチＵ１〜Ｕ３を順次オン状態に切り替えるシフトレジスタ（ＳＲ２）と、シフトレジスタ（ＳＲ２）によって読み出された信号電荷を増幅した増幅信号Ｖｏｕｔを出力するアンプと、ＣＲＥＳ端子に入力されるリセット用の電圧パルスに応じて容量素子Ｃ１〜Ｃ３をリセットするリセット用スイッチＲＥＳ１〜ＲＥＳ３とを備えている。
【００２３】
図４は、図２のシフトレジスタ（ＳＲ１）の等価回路図である。図４には、Ｎ個のＤフリップフロップと、Ｎ個のＡＮＤゲートとを示している。ＤフリップフロップのＤ端子にはＳｉｎ信号が入力され、ＣＫ端子にはＳｃｌｋ信号が入力され、Ｑ端子からＳｉｎ信号をＳｃｌｋ信号に応じて遅延させた信号が出力される。各ＡＮＤ回路の一端にはＤフリップフロップのＱ端子からの出力信号が入力され、他端にはＯＥ信号が入力され、Ｄフリップフロップの出力信号とＯＥ信号との論理積信号Ｖｇ１〜ＶｇＮが出力される。
【００２４】
なお、図４には図示していないが、実際には、ＡＮＤ回路の後段に電圧レベル変換回路を設けており、図２に示すスイッチ素子Ｔ１−１〜Ｔ３−３のオン／オフ制御に必要なオン電圧、オフ電圧を生成している。
【００２５】
「動作の説明」
つぎに、本実施形態のＸ線撮像装置の動作の概略について説明する。Ｘ線発生装置２３０側から出力される制御信号に基づいてＸ線源１０１から出射されたＸ線は、被写体である患者１０２を透過し、その透過光が蛍光体１０３に到達する。なお、ここで出射されたＸ線の出射量は、後述するように、微量なものである。
【００２６】
蛍光体１０３では、患者１０２のＸ線透過量に大小に対応して可視光に変換される。変換された光は、光センサ１０４で光電変換される。このため、光センサ１０４で変換された電気信号は患者１０２のＸ線透過像を表すことになる。光センサ１０４に備えられている光電変換素子は、後述するように「空読み動作」、「蓄積動作」、「本読み動作」の３つの動作を行う。なお、これらの動作の具体的な内容については後に説明する。
【００２７】
光電変換素子Ｓ１−１〜Ｓ３−３に入射した光は、光電変換素子により光電変換され、光電変換信号電荷として、それぞれの光電変換素子内の電極間容量に蓄積される。これらの光電変換信号は、制御部１０８の制御に応じて駆動部１０７が光センサ１０４を駆動させ、スイッチ素子Ｔ１−１〜Ｔ３−３及びマトリクス信号配線Ｍ１〜Ｍ３を通って並列の電圧出力となり、さらに、読み出し用スイッチ回路部により直列信号となり、アンプで増幅されて増幅信号Ｖｏｕｔとして外部に取り出され、演算部１０９に入力される。
【００２８】
なお、図２の光電変換装置の構成例においては、総画素数９ビットの光電変換素子を３ビットずつまとめて３行に分割してあるので、上述の各動作は、順次、行単位で行われる。
【００２９】
つぎに、演算部１０９では、入力信号をＡ／Ｄ変換し、それらの平均値を算出する。ここで、演算部１０９は、テーブルメモリなどのメモリを備えており、そのメモリには肺野部、腹部など、患者１０２の部位毎に撮影に必要なＸ線の入射総量が格納されている。
【００３０】
そして、微量なＸ線をＸ線源１０１から出射した際の光センサ１０４の入射総量と上記メモリに格納されている情報とに基づいて撮影時に必要なＸ線の出射総量を算出する。具体的には、テーブルメモリ内に格納されている必要なＸ線量を「１０００」とし、「管電流が１ｍＡ、照射時間が１ｍｓ」でＸ線を出射した際に、光センサ１０４側に入射されたＸ線の入射総量が「１」である場合には、患者１０２を撮影する際には、たとえば管電流を５０ｍＡ、照射時間を２０ｍｓとすべきであることを求める。
【００３１】
なお、テーブルメモリの格納内容は、Ｘ線源１０１と被写体１０２との距離（撮影距離）や、患者１０２を正面撮影するのか側面撮影するのかという撮影方向や、管電圧（Ｘ線のエネルギー）などを考慮して予めテーブルメモリに格納しておけばよい。
【００３２】
それから、演算結果は、Ｘ線発生装置２３０側へフィードバックされる。Ｘ線発生装置２３０では、フィードバックされた信号が、パルス発生器２１０及び管電流設定装置２２０に入力される。パルス発生器２１０では、演算部１０９からの信号に基づいて、実際に患者１０２のＸ線情報を取得する際のスイッチ１０５のオン／オフ時間を制御する。また、管電流設定装置２２０では、演算部１０９からの信号に応じた量のＸ線を、実際に患者１０２を撮影する際に出射する。
【００３３】
このようにして、実際に患者１０２を撮影しようとする前に、患者１０２に照射するＸ線の出射総量である出射時間及び出射量を決定する。それから、その決定に基づいて、管電流設定装置２２０によってＸ線源１０１に係る管電流値の制御信号が生成され、上記と同様の手順により、Ｘ線源１０１から、その生成された制御信号に基づくＸ線照射がされる。
【００３４】
つぎに、図２に示す光電変換装置及びシフトレジスタ（ＳＲ１）、「空読み動作」、「蓄積動作」、「本読み動作」等の動作について個別に説明する。
【００３５】
図３は、図２に示す光電変換装置の動作を示すタイミングチャートである。第１行の光電変換素子Ｓ１−１〜Ｓ１−３に入射した光情報は、光電変換され、信号電荷として、Ｓ１−１〜Ｓ１−３それぞれの光電変換素子内の電極間容量に蓄積されており、一定の蓄積時間を経過した後、シフトレジスタ（ＳＲ１）よりゲート駆動用配線Ｇ１に転送用の第１の電圧パルスをＴ１時間与え、転送用スイッチ素子Ｔ１−１からＴ１−３をオン状態に切り替える。
【００３６】
これにより、光電変換素子内の電極間容量（Ｓ１−１〜Ｓ１−３）に蓄えられていた信号電荷が、マトリクス信号配線Ｍ１〜Ｍ３を通って、容量素子Ｃ１〜Ｃ３に転送され、各容量素子Ｃ１〜Ｃ３の電位Ｖ１〜Ｖ３は、信号の電荷量分だけ高くなる（転送動作）。
【００３７】
続いて、ゲート駆動用配線Ｎ１〜Ｎ３にシフトレジスタＳＲ２より電圧パルスを順次与え、読み出し用スイッチＵ１〜Ｕ３を順次オン状態に切り替えることにより、容量素子Ｃ１〜Ｃ３に転送されていた第１行の画素からの信号を直列信号に変換し、オペアンプによりインピーダンス変換後に３画素分の信号を、Ｔ３時間の間で光電変換素装置の外部へＶｏｕｔとして出力する（読出動作）。
【００３８】
その後、リセット用スイッチＲＥＳ１〜ＲＥＳ３にリセット用の電圧パルスをＣＲＥＳにＴ２時間印加して容量素子Ｃ１〜Ｃ３をリセットして、次行の読み出し動作に備える（リセット動作）。
【００３９】
以下、ゲート駆動用配線Ｇ２、Ｇ３を順次駆動することにより、全画素のデータを出力する。第３行の光電変換素子Ｓ１−１〜Ｓ３−３によって、それぞれ光電変換された信号は、図３に示すタイミングで繰り返して、読み出し、転送等される。
【００４０】
図５は、図４に示すシフトレジスタ（ＳＲ１）の動作を示すタイミングチャートである。ここで、「本読み動作」とは、２次元の光電変換素子が１フレーム分のスキャンを実施する動作であり、かつ被写体のＸ線画像を取得するための動作である。
【００４１】
また、「空読み動作」とは「本読み動作」と同様、２次元の光電変換素子が１フレーム分のスキャンを実施する動作であるが、被写体のＸ線画像を取得するための動作ではなく、いわば、２次元の光電変換素子の「本読み動作」を安定に動作させるためのアイドリング動作である。
【００４２】
以後、「本読み動作」を実施する期間を「本読み期間」、また「空読み動作」を実施する期間を「空読み期間」と称する。
【００４３】
図５に示すように、シフトレジスタ（ＳＲ１）は、Ｓｉｎ信号を「Ｈｉ」状態にして、Ｓｃｌｋ信号を入力することにより、１段目のＤフリップフロップを「Ｈｉ」状態に遷移させる。すなわち、１段目のＤフリップフロップのＱ端子から、「Ｈｉ」の信号を出力させる。１段目のＤフリップフロップの出力（「Ｈｉ」）は、１段目のＡＮＤ回路及び２段目のＤフリップフロップのＤ端子に入力される。
【００４４】
したがって、ＯＥ信号を「Ｈｉ」にすることにより、１段目のＡＮＤ回路の出力信号Ｖｇ１は、ＯＥ信号に同期して「Ｈｉ」のパルスを出力する。また、この状態で、２発目のＳｃｌｋを入力すると、２段目のＤフリップフロップ「Ｈｉ」状態に遷移する。一方、１段目のＤフリップフロップのＤ端子であるＳｉｎは「Ｌｏ」に戻っているため、１段目のＤフリップフロップは「Ｌｏ」状態に遷移している。
【００４５】
そして、ＯＥ信号を再び「Ｈｉ」状態にすれは、２段目のＡＮＤ回路の出力信号Ｖｇ２は、ＯＥ信号に同期して「Ｈｉ」のパルスを出力する。以下同様に、３〜Ｎ段目のＡＮＤ回路まで、ＯＥ信号に同期した出力信号Ｖｇ３〜ＶｇＮが出力される。以下同様に、図５に示すタイミングで繰り返して、出力信号Ｖｇ１〜ＶｇＮが出力される。
【００４６】
図６，図７は、図２の各光電変換素子においてシフトレジスタ（ＳＲ１）がＮ段ある場合の「本読み動作」、「空読み動作」のタイムチャートを示している。Ｖｇ１〜ＶｇＮに出力する信号のタイミングは図６，図７において、スケールこそ異なるが、図５と基本的に同じである。
【００４７】
また、図６，図７には、図５に示したものの他に、Ｖｇ４〜ＶｇＮに出力する信号のＨｉ／Ｌｏを示すＶｇ３〜ＶｇＮ、Ｘ線源１０１のＸ線の出射の有無を示すＸ−ｒａｙ、ＣＲＥＳ端子へ印加する信号のＨｉ／Ｌｏを示すＣＲＥＳ、アンプの出力のＨｉ／Ｌｏを示すＶｏｕｔ、スイッチ１１０のオン／オフを制御する制御信号のＨｉ／Ｌｏを示すＸＷＥ信号を追記している。
【００４８】
なお、図６，図７において、Ｘ−ｒａｙは常にＬｏであり、Ｘ線源１０１からＸ線の出射はされていない。また、Ｖｇ４〜ＶｇＮに出力する信号は、図５を用いて説明したＶｇ１〜Ｖｇ３に出力する信号と同様にＨｉ／Ｌｏが切り替えられる。さらに、Ｖｏｕｔは常にＬｏであり、アンプから増幅信号の出力はない。ＸＷＥ信号は常にＨｉである。
【００４９】
図６，図７に示するように、「本読み動作」と「空読み動作」とは、各光電変換素子を動作させる上では違いはない。すなわち、前述したように、「空読み動作」は光電変換素子の「本読み動作」を安定に動作させるために必要なアイドリング動作であり、その動作における出力信号そのものは画像形成のディジタルデータとしては必要としないことを意味している。
【００５０】
図８は、図２の各光電変換素子においてシフトレジスタ（ＳＲ１）がＮ段ある場合の「蓄積動作」のタイムチャートである。ここでは、Ｘ−ｒａｙはＬｏ、Ｈｉ、Ｌｏと切り替わる。すなわち、Ｘ線源１０１は、Ｘ線が出射されていない状態から、Ｘ線の出射が開始され、その後Ｘ線の出射が停止される。また、Ｖｇ１〜ＶｇＮには、常にＬｏの信号が出力されている。
【００５１】
図９は、「Ｘ線検出の準備期間」におけるシフトレジスタ（ＳＲ１）のタイミングチャートである。「Ｘ線検出の準備期間」とはつぎに述べる「Ｘ線検出期間」の準備段階であり、Ｎ本あるゲート駆動配線の中から、光センサ１０４の任意の領域のゲート駆動線をＸ線技師などによって選択される期間である。
【００５２】
これは、Ｘ線の照射線量を定めるには、光センサ１０４の全ての領域用いる必要がないことによる。すなわち、本実施形態では、患者１０２の本来撮影が必要な箇所を撮影する際に光センサ１０４に必要なＸ線入射総量を算出するようにしている。
【００５３】
図９に示すように、ゲート駆動線Ｇ１〜Ｇ３に相当するものがＮ本ある場合、Ｓｃｌｋには、Ｎ個分のクロックを入力する。そのうち最初のＩ個分のクロックを入力するとき、Ｓｉｎの入力端子は「Ｌｏ」状態にする。この段階で、１〜Ｉ段目のＤフリップフロップは「Ｌｏ」状態に遷移している。
【００５４】
つぎに、Ｊ個のＳｃｌｋを入力するとき、Ｓｉｎの入力端子は「Ｈｉ」状態にする。この段階で、１〜Ｊ段目のＤフリップフロップは「Ｈｉ」状態に遷移し、最初の段階のＩ個分（１〜Ｉ段目）の「Ｌｏ」状態はＪ個分だけ次段にシフトされ、結果として、「Ｊ＋１」〜「Ｊ＋Ｉ」段のＤフリップフロップが「Ｌｏ」状態に遷移することになる。
【００５５】
最後に残りにＫ個のＳｃｌｋを入力するとき、Ｓｉｎの入力端子は「Ｌｏ」状態にする。そうすることにより、１〜Ｊ段目の「Ｈｉ」状態及び「Ｊ＋１」〜「Ｊ＋Ｉ」段目の「Ｌｏ」状態がＫ個分だけ次段にシフトされ、結果としてＤフリップフロップの状態は、１〜Ｋ段目が「Ｌｏ」、「Ｋ＋１」〜「Ｋ＋Ｊ」段目が「Ｈｉ」、「Ｋ＋Ｊ＋１」〜「Ｋ＋Ｊ＋Ｉ」段目が「Ｌｏ」状態に遷移することになる。
【００５６】
図１０は、「Ｘ線検出期間」におけるシフトレジスタ（ＳＲ１）のタイミングチャートである。図９に加えてＣＲＥＳ、Ｖｏｕｔ、ＸＷＥも表記している。Ｓｉｎ、Ｓｃｌｋは「Ｌｏ」状態である。ＯＥ信号を図１０のように、「Ｈｉ」状態にすることによりそれに同期して、Ｄフリップフロップが「Ｈｉ」状態の部分のゲート駆動配線のみが「Ｈｉ」状態に選択される。
【００５７】
すなわち、図１０に示すように、「Ｋ＋１」〜「Ｋ＋Ｊ」段目のゲート駆動配線が同時にオンすることになる。図１０では、表記の関係上、１〜Ｎ本のゲート駆動配線のタイミングチャートを独立に表現せず、まとめて表記している。
【００５８】
「Ｋ＋１」〜「Ｋ＋Ｊ」段目のゲート駆動配線がオンした後に、信号読み取り用アンプ回路により、アナログ出力（Ｖｏｕｔ）される。１本の信号配線の出力には、「Ｋ＋１」〜「Ｋ＋Ｊ」段目のＪ本分のゲート駆動配線が同時にオンした分だけ平均化した出力が現れる。すなわち、縦方向のＪ画素分の平均出力が現れる。
【００５９】
図１１は、「Ｋ＋１」〜「Ｋ＋Ｊ」段目のゲート駆動配線が同時にオンすることにより、２次元の光電変換素子内で選択された読み取り領域を示鈴である。図１０のＶｏｕｔの出力を平均すれば、図１１のハッチング部分の平均出力が求められる。また、ＸＷＥ信号により、信号配線も任意に選択することができる。
【００６０】
図１２は、図１１に示す状態からＸＷＥ信号により２箇所選択している様子を示している。図１２の黒部分は、２次元の光電変換素子Ｓ１−１〜Ｓ３−３内の選択された読み取り領域を示している。この図は、胸部Ｘ線撮像装置を例にした場合、概略、患者の肺野部に相当している。片肺の患者であれば、ＸＷＥ信号により一方が選択される場合もある。
【００６１】
このように、観察したい部分に応じてＸ線の露光量を算出すると、露出精度が向上し、ひいてはＸ線照射量を適量にすることが可能となるので、被曝線量が低減する。
【００６２】
なお、本実施形態は、Ｓｉｎ、Ｓｃｌｋ、ＯＥ入力によりゲート駆動配線が任意に選択でき、またＸＷＥ信号により信号配線が任意に選択できるようにしている。
【００６３】
図１３は、「Ｘ線検出の後処理期間」におけるシフトレジスタ（ＳＲ１）のタイミングチャートを示す図である。「Ｘ線検出の後処理期間」とは、「Ｘ線検出期間」で選択されなかったゲート駆動配線に接続される光電変換素子の信号電荷をリセットし、その後、Ｎ段全てのＤフリップフロップを「Ｌｏ」状態にもどす操作である。
【００６４】
ＳｃｌｋをＮクロック入力する間、Ｓｉｎを入力するＤ端子を「Ｈｉ」状態にすることにより、Ｎ段全てのＤフリップフロップの内部が「Ｈｉ」状態に遷移する。その後，ＯＥを「Ｈｉ」にすることによりＮ段全てのゲート駆動配線がＯＥに同期してオンする。このとき、同時にＣＲＥＳをオンしておくことにより、全光電変換素子の蓄積電荷がリセットされる。その後、Ｓｉｎを「Ｌｏ」状態において再びＳｃｌｋをＮ個入力することによりＮ段全てのＤフリップフロップの内部状態が「Ｌｏ」に遷移される。
【００６５】
以上、「本読み期間」（図６）、「空読み期間」（図７）、「Ｘ線照射期間」（図８）、「Ｘ線検出の準備期間」（図９）、「Ｘ線検出期間」（図１０）、「Ｘ線検出の後処理期間」（図１３）について説明した。
【００６６】
つぎに、本実施形態における、Ｘ線撮影における撮影シーケンスについて説明する。
【００６７】
図１４は、本実施形態におけるＸ線撮影における撮影シーケンスを表したタイムチャートである。本実施形態のＸ線撮像装置の動作説明の冒頭の説明と一部重複する記載もあるが、「本読み期間」（図６）、「空読み期間」（図７）、「Ｘ線照射期間」（図８）、「Ｘ線検出の準備期間」（図９）、「Ｘ線検出期間」（図１０）、「Ｘ線検出の後処理期間」（図１３）を踏まえた総括的なＸ線撮影における動作の説明する。
【００６８】
図１４において、「→」の方向が時間の推移を表している。また、「本読み期間」を「Ｈ」、「空読み期間」を「Ｋ」、「Ｘ線照射期間」を「Ｘ」、「Ｘ線検出の準備期間」を「Ｊ」、「Ｘ線検出期間」を「Ｍ」、「Ｘ線検出の後処理期間」を「Ａ」と表している。
【００６９】
始めに「空読み動作」を行っている。これは先に述べたように、光電変換素子やスイッチング素子やその他ＩＣ（シフトレジスタ、読み取り用回路など）を安定に動作させるために必要なアイドリング動作である。この動作をせずにすぐに安定に動作をする光電変換装置であれば、「Ｋ」は特に必要とはしない。また「Ｋ」の回数は特に規定されるものではなく、光電変換装置が安定に動作をするに必要な回数だけ予め行えばよい。
【００７０】
「Ｋ」の後に「Ｘ」に移行する。この後にも「Ｘ」が登場するので、この最初の「Ｘ」をここでは、便宜上「Ｘ１」、後の「Ｘ」を「Ｘ２」とする。Ｘ線源１０１は図１においては１つだけ設けているので、ここでは「Ｘ１」と「Ｘ２」とで使用するＸ線源１０１は同一のものということになるが、「Ｘ１」用と「Ｘ２」用とで別々に２つ設けて、それぞれ使い分けてもよい。
【００７１】
「Ｘ１」では、光センサ１０４の光電変換素子を、いわば露出センサとして用いるために、極微量のしかも照射線量が既知であるＸ線を照射する。極微量とは、撮影に必要な標準的なＸ線量の１００００分の１〜１０分の１程度である。「Ｘ１」で照射されたＸ線の条件、たとえば、Ｘ線の管電圧、管電流、照射時間などは、予め既知情報として、何らかの形で記憶されている。たとえば、図１の演算部１０９に記憶される。
【００７２】
その後、「Ｊ」では、撮影に必要な領域に応じてモニタしたい領域のゲート駆動配線を選択する。なお、「Ｘ１」と「Ｊ」の順序が入れ替わってもよい。その後「Ｍ」では「Ｘ線検出動作」を行い、図１２の黒部分から出力される信号の平均値を検出し、その後「Ａ」に移行する。
【００７３】
「Ａ」では、別途、演算部１０９において、「Ｘ１」で照射されたＸ線量と、「Ｍ」で得られた出力と、演算部１０９に格納されている撮影に必要な入射総量とに基づいて、被写体１０２の所要の部位を撮影する際に最適な透過Ｘ線を算出して、Ｘ線発生装置２３０へフィードバックする。
【００７４】
「Ｘ２」では、Ｘ線発生装置２３０によって、フィードバックされた情報に基づく出射総量でＸ線を照射する。最後に、「Ｈ」では、光センサ１０４の２次元の光電変換装置の全画素の出力を取り込む。
【００７５】
（実施形態２）
図１５は、本発明の実施形態２のＸ線撮像装置のＸ線撮影における撮影シーケンスであり、図１４に相当するものである。本実施形態では、たとえば２箇所を撮影する際に有効なＸ線撮像装置の使用方法について説明する。なお、本実施形態のＸ線撮像装置は、図１に示すものと同様である。
【００７６】
また、図１５において、図１４で説明した各動作と同様の動作を行う部分には、同一のアルファベットの略称を用いているが、図１４の「Ｘ２」は図１５の「Ｘ３」を意味し、図１５の「Ｘ２」は２箇所目の部位の撮影時に必要なＸ線の出射総量を算出するためのＸ線の照射を意味する。
【００７７】
図１５と図１４とを比較すると、「Ｘ」「Ｊ」「Ｍ」「Ａ」の組み合わせが２回存在している点が異なる。これは、Ｓｉｎ、Ｓｃｌｋで選択できるゲート駆動配線の領域を２箇所設定した例である。１回目の「Ｘ」「Ｊ」「Ｍ」を「Ｘ１」「Ｊ１」「Ｍ１」、２回目を「Ｘ２」「Ｊ２」「Ｍ２」としている。
【００７８】
図１６は、図１５の「Ｊ１」のシフトレジスタ（ＳＲ１）の入出力信号の状態を示す図である。「Ｊ１」の動作により、Ｎ段のＤフリップフロップ中、「Ｍ＋Ｌ＋Ｋ＋１」〜「Ｍ＋Ｌ＋Ｋ＋Ｊ」段目までの連続したＪ段のＤフリップフロップが「Ｈｉ」状態に遷移している。なお、図１６には、ＬｏレベルのＯＥ信号及び論理積信号Ｖｇ１〜ＶｇＮを示している。
【００７９】
図１７は、図１５の「Ｍ１」の光センサ１０４内の信号の状態を示す図である。ＯＥに同期して、Ｖｇ（Ｍ+１）〜Ｖｇ（Ｍ+Ｌ）のＬ本のゲート駆動配線が同時にオンし、その後、読み取り用回路部のアンプにより、増幅信号Ｖｏｕｔが出力されている。この場合、ＸＷＥ信号により、ほぼ光電変換回路部の中央付近に配置されているいくつかの光電変換素子が選択されている。
【００８０】
図１８は、図１５の「Ｊ２」のシフトレジスタ（ＳＲ１）の入出力信号の状態を示す図である。「Ｊ２」の動作により、Ｎ段のＤフリップフロップ中、「Ｍ＋１」〜「Ｍ+Ｌ」段目までの連続したＬ段のＤフリップフロップが「Ｈｉ」状態に遷移している。なお、図１８には、ＬｏレベルのＯＥ信号及び論理積信号Ｖｇ１〜ＶｇＮを示している。
【００８１】
図１９は、図１５の「Ｍ２」の光センサ１０４内の信号の状態を示す図である。ＯＥ信号に同期して、Ｌ分の論理積信号Ｖｇ（Ｍ+１）〜Ｖｇ（Ｍ+Ｌ）が同時にＨｉレベルに移行し、その後、読み取り用回路部のアンプにより、増幅信号Ｖｏｕｔが出力されている。この場合、ＸＷＥ信号により、２箇所の領域の信号配線が選択されている。
【００８２】
以上説明した各種信号に基づいて駆動されるＸ線撮像装置は、実施形態１と同様に、「Ｘ１」、「Ｘ２」では極微量のしかも照射線量が既知であるＸ線が照射され、「Ｍ１」、「Ｍ２」のそれぞれでそれらの出力から人体を透過してきたＸ線量を検知する。
【００８３】
これらの情報から、Ｘ線画像における最適な照射Ｘ線量を割り出し、「Ｘ３」で照射するＸ線の出射総量を算出し、算出結果をＸ線発生装置２３０にフィードバックする。そして、「Ｘ３」ではＸ線発生装置２３０により、フィードバックされた信号に基づく出射総量のＸ線が出射され、「Ｈ」で、全画素データが取得される。
【００８４】
なお、図２０は、図１６〜図１９に示す本実施形態におけるＸ線検出期間に選択された検出領域を示す概念図である。黒部分が検出領域を示している。胸部撮影用のＸ線撮像装置であれば、上の２箇所が肺の領域、下が縦隔領域に相当する。
【００８５】
「Ｘ１」、「Ｘ２」は別個に照射しているため、必ずしも同じ条件でなくてもよい。また「Ｍ１」「Ｍ２」の出力は別個に得られるため、「Ｍ３」にフィードバックさせるための演算方法は、任意に選択できる。
【００８６】
本実施形態において、ゲート駆動配線を２つの領域に選択した例を説明してきたが、３つの領域でも、更に４つの領域でも選択することができ、信号配線の選択もＸＷＥ信号のオン／オフの時間を変えることにより任意に選択することができる。
【００８７】
（実施形態３）
図２１は、本発明の実施形態３のＸ線撮像装置のＸ線撮影における撮影シーケンスであり、図１４に相当するものである。なお、図２１において、図１４で説明した各動作と同様の動作を行う部分には、同一のアルファベットの略称を用いている。また、本実施形態のＸ線撮像装置は、図１に示すものと同様である。
【００８８】
図２１と図１４とを比較すると、「Ｊ」「Ｍ」「Ａ」の組み合わせが存在しておらず本読み期間「Ｈ」に置き換わっている点が異なる。すなわち、本実施形態においては、本読み期間「Ｈ」が２回存在している。便宜上、１回目、２回目の本読み期間をそれぞれ「Ｈ１」、「Ｈ２」と表している。
【００８９】
本実施形態においても、「Ｘ１」では、極微量のしかも照射線量が既知であるＸ線を照射する。その後、「Ｈ１」により２次元の光電変換素子の全画素の出力を読み取る。その情報はすべて演算部１０９に一旦格納されるが、「Ｘ１」のＸ線量の検出に必要な検出領域は、演算部１０９の中に格納したデータをたとえばソフト的に取捨選択すればよい。
【００９０】
具体的には、演算部１０９の中にＡ／Ｄコンバ−タとメモリ素子とが存在するならば、「Ｈ１」の全画素データはそのメモリ素子に格納しておき、必要な検出領域に対応したメモリ素子のアドレス線を選択しアクセスすれば、「Ｈ１］で得られた出力の中から必要な領域分を演算することができる。
【００９１】
また、演算によって最適なの照射線量を算出したら、それをＸ線発生装置２３０へフィードバックさせ、最後に「Ｈ２」により光センサ１０４の全画素の出力を再度取り込む。本実施形態の場合には、「Ｈ１」の全出力から領域を限定し、さらに多数画素の演算処理を行う可能性があるため、演算部１０９の負荷が過大になることにより、「Ｘ２」の最適露光量を導出する演算時間が長くなる。
【００９２】
さらに、図２１では図示していないが、「Ｈ１」のあとに演算時間の分だけ待ち時間が必要になるので、その場合には、図８に示したＸ線照射期間のタイミングチャートにおいて、Ｘ線がオンする前の期間を長くすればよい。
【００９３】
また、本実施形態の場合には、本読み期間「Ｈ１」が実施形態１における「Ｊ」「Ｍ」「Ａ」の合計時間よりも長くなる。それは、Ｎ段のシフトレジスタを１段ずつ順次オンさせていき、各段をそれぞれ読み取っていくからであるが、このことは、被写体すなわち患者が、Ｘ線撮像装置に束縛される時間が長くなることを意味する。
【００９４】
ここで、本読み期間は、光電変換素子の容量素子とスイッチ素子とのオン抵抗で概略決定される。もし患者に多大な負担をかける程「Ｈ１」が長い場合は、「Ｈ１」を「Ｈ２」よりも高速に動作させればよい。高速に動作させるとは、本読み期間「Ｈ１」におけるＯＥの時間を短くすることである。そうすることにより、光電変換素子に「Ｘ１」により蓄積された信号電荷の転送効率は若干低下するが、「Ｈ１」の目的は「Ｘ２」の照射Ｘ線量を決定することだけなので、「Ｈ２」よりもＯＥを短くしても問題は生じない。
【００９５】
（実施形態４）
図２２は、本発明の実施形態４のＸ線撮像装置の構成を示す概念図であり、図１に相当するものである。なお、図２２において、図１で説明した部分と同様の部分には、同一符号を付している。
【００９６】
図２２と図１とを比較すると、蛍光体１０３及び光センサ１０４に代えて、Ｘ線撮像装置４０４を設けている点である。Ｘ線撮像装置４０４は、Ｘ線を直接的に吸収し電子又は正孔に変換するＸ線撮像装置である。
【００９７】
図２３は、図２２のＸ線撮像装置４０４の等価回路図である。基本的な動作は、図２にＸ線センサ１０４の動作と同様である。すなわち、Ｘ線源１０１から出射したＸ線は、被写体である人体１０２を透過し、その透過光がＸ線撮像装置４０４に到達し、各Ｘ線撮像素子Ｓ１−１〜Ｓ３−３で電子又は正孔に変換される。すなわち、Ｘ線撮像装置４０４で変換された電気信号は被写体１０２でのＸ線透過像を表している。
【００９８】
Ｘ線撮像素子Ｓ１−１〜Ｓ３−３で変換された電気信号は、スイッチング素子Ｔ１−１〜Ｔ３−３のオン／オフに従い、読み出し用回路部を通じて、外部に増幅信号Ｖｏｕｔとして出力される。
【００９９】
【発明の効果】
本発明によれば、露光精度が向上し、ひいては放射線照射量を適正にすることが可能となるので、被曝線量が低減する。
【図面の簡単な説明】
【図１】本発明の実施形態１のＸ線撮像装置の構成を示す概念図である。
【図２】図１の光センサ内に２次元状に配列されている光電変換素子の等価回路図である。
【図３】図２に示す光電変換装置の動作を示すタイミングチャートである。
【図４】図２のシフトレジスタ（ＳＲ１）の等価回路図である。
【図５】図４に示すシフトレジスタ（ＳＲ１）の動作を示すタイミングチャートである。
【図６】図２の各光電変換素子においてシフトレジスタ（ＳＲ１）がＮ段ある場合の「本読み動作」のタイムチャートを示している。
【図７】図２の各光電変換素子においてシフトレジスタ（ＳＲ１）がＮ段ある場合の「空読み動作」のタイムチャートを示している。
【図８】図２の各光電変換素子においてシフトレジスタ（ＳＲ１）がＮ段ある場合の「蓄積動作」のタイムチャートである。
【図９】「Ｘ線検出の準備期間」におけるシフトレジスタ（ＳＲ１）のタイミングチャートである。
【図１０】「Ｘ線検出期間」におけるシフトレジスタ（ＳＲ１）のタイミングチャートである。
【図１１】「Ｋ＋１」〜「Ｋ＋Ｊ」段目のゲート駆動配線が同時にオンすることにより、２次元の光電変換素子内で選択された読み取り領域を示す図である。
【図１２】図１１に示す状態から２箇所選択している様子を示している図である。
【図１３】「Ｘ線検出の後処理期間」におけるシフトレジスタ（ＳＲ１）のタイミングチャートを示す図である。
【図１４】本発明の実施形態１におけるＸ線撮影における撮影シーケンスを表したタイムチャートである。
【図１５】本発明の実施形態２のＸ線撮像装置のＸ線撮影における撮影シーケンスである。
【図１６】図１５の「Ｊ１」のシフトレジスタ（ＳＲ１）の入出力信号の状態を示す図である。
【図１７】図１５の「Ｍ１」の光センサ１０４内の信号の状態を示す図である。
【図１８】図１５の「Ｊ２」のシフトレジスタ（ＳＲ１）の入出力信号の状態を示す図である。
【図１９】図１５の「Ｍ２」の光センサ１０４内の信号の状態を示す図である。
【図２０】図１６〜図１９に示す本実施形態におけるＸ線検出期間に選択された検出領域を示す概念図である。
【図２１】本発明の実施形態３のＸ線撮像装置のＸ線撮影における撮影シーケンスである。
【図２２】本発明の実施形態４のＸ線撮像装置の構成を示す概念図である。
【図２３】図２２のＸ線撮像装置４０４の等価回路図である。
【図２４】従来のフィルム方式のＸ線撮影系を示す図である。
【図２５】図２４のフィルムと露出センサの位置関係の例を示した図である。
【図２６】従来のフィルム方式におけるＸ線撮影系の別の例を示す図である。
【符号の説明】
１０１  Ｘ線源
１０２  被写体（患者）
１０３，１７０  蛍光体
１０４  光センサ
１０５  スイッチ
１０６  Ｘ線源の電源
１０７  駆動部
１０８  制御部
１０９  演算部
１１０  スイッチ
１２０  フィルム
１４０  露出センサ（光センサ）
１３０  電源
１５０  アンプ
１９０  基準電源
２００  コンパレータ
２１０  パルス発生器
２２０  管電流設定装置
２３０  Ｘ線発生装置
４０４  ２次元のＸ線撮像装置
【図１】
0004789332.tif 000002
【図２】
0004789332.tif 000003
【図３】
0004789332.tif 000004
【図４】
0004789332.tif 000005
【図５】
0004789332.tif 000006
【図６】
0004789332.tif 000007
【図７】
0004789332.tif 000008
【図８】
0004789332.tif 000009
【図９】
0004789332.tif 000010
【図１０】
0004789332.tif 000011
【図１１】
0004789332.tif 000012
【図１２】
0004789332.tif 000013
【図１３】
0004789332.tif 000014
【図１４】
0004789332.tif 000015
【図１５】
0004789332.tif 000016
【図１６】
0004789332.tif 000017
【図１７】
0004789332.tif 000018
【図１８】
0004789332.tif 000019
【図１９】
0004789332.tif 000020
【図２０】
0004789332.tif 000021
【図２１】
0004789332.tif 000022
【図２２】
0004789332.tif 000023
【図２３】
0004789332.tif 000024
【図２４】
0004789332.tif 000025
【図２５】
0004789332.tif 000026
【図２６】
0004789332.tif 000027